【事件の表示】
　特願２００２−５４６３３９「コンピューティング装置用のロウパワーディジタルオーディオデコード／再生システムおよび方法」拒絶査定不服審判事件〔平成１４年　６月　６日国際公開、ＷＯ０２／４５３１９、平成１６年１２月　２日国内公表、特表２００４−５３６４１４〕について、次のとおり審決する。
【結　論】
　本件審判の請求は、成り立たない。
【理　由】
１．手続の経緯
　
　本願は、平成１３年１１月２９日（パリ条約による優先権主張外国庁受理２０００年１２月１日、米国）を国際出願日とする出願であって、拒絶理由通知に応答して、平成１８年２月１６日付けで手続補正がなされたが、平成１８年１０月６日付けで拒絶査定がなされ、これに対して、平成１９年１月１５日に拒絶査定不服審判が請求されるとともに、同年２月１４日付けで手続補正がなされたものである。
　そして、平成２１年２月２０日付けの審尋に対して、平成２１年８月１４日付けで回答書が提出されたものである。
　
２．平成２１年８月１４日付けの手続補正に対する補正却下の決定
　
［補正却下の結論］
　平成２１年８月１４日付け手続補正を却下する。
　
［理由］
（１）補正の内容
　平成２１年８月１４日付け手続補正（以下、「本件補正」という。）は、少なくとも以下の補正を含むものである。
　補正前の特許請求の範囲（平成１８年２月１６日付け手続補正での補正）の、請求項１ないし５７を削除するとともに、請求項５８について、補正前に
　
（１−１）「【請求項５８】
オーディオファイルを再生するのに適合されたコンピュータシステムにおいて、
システムＣＰＵと、
メモリと、
一つ以上のオーディオファイル内に常駐している、圧縮されたオーディオデータを含む少なくとも一つのドライブと、
一つ以上の前記オーディオファイルを含み、前記オーディオファイルを含むドライブのボリュームシリアル番号を含む前記オーディオファイルの位置に関する情報を含んでいるプレイリストを選択して保存するプレイリストソフトウェアプログラムと、
少なくとも前記システムＣＰＵおよび前記メモリを制御するのに適合された第１のオペレーティングシステムと、
第２のオペレーティングシステムと
を備えていて、
前記第２のオペレーティングシステムは、ＢＩＯＳに保存されていて、前記プレイリストを検索するのに適合されていて、前記ドライブが前記プレイリストの少なくとも一つの前記オーディオファイルを読み出すようにし、これにより、前記システムＣＰＵが前記ファイルの圧縮されたオーディオデータを伸張して、伸張されたオーディオデータを供給するようにし、かつ、前記伸張されたオーディオデータが前記メモリに保存されるようにすることを特徴とするコンピュータシステム。」とあったものを
　
（１−２）「【請求項１】
　オーディオファイルを再生することに適合したコンピュータシステムであって、
　前記コンピュータシステムは、
　システムＣＰＵと、
　メモリと、
　圧縮されたオーディオデータを具備する少なくとも１つのドライブと
を具備し、
　前記圧縮されたオーディオデータは、１又は２以上のオーディオファイル内に常駐し、
　前記コンピュータシステムは、
　前記オーディオファイルのうちの１又は２以上を具備するプレイリストを選択しかつ保存するプレイリストソフトウェアプログラ
ムを具備し、　前記プレイリストは、前記オーディオファイルを収容するドライブのボリュームシリアル番号を含む前記オーディオファイルの場所に関する情報を収容し、　前記コンピュータシステムは、
　第２オペレーティングシステムと
を具備し、
　前記第２オペレーティングシステムは、ＢＩＯＳ内に保存され、かつ、前記プレイリストを検索しかつ前記ドライブに
前記ボリュームシリアル番号に従って
ことを特徴とするコンピュータシステム。
」と補正しようとするものである。
　
　すると、本件補正は、請求項の削除とともに、前掲補正前の請求項５８において、
　「前記プレイリストは、前記オーディオファイルを収容するドライブのボリュームシリアル番号を含む前記オーディオファイルの場所に関する情報を収容」すること、オーディオファイルの読み出しを「ボリュームシリアル番号に従って」行っていることを限定して、特許請求の範囲を減縮しようとするものであって、平成１８年法律第５５号改正附則第３条第１項によりなお従前の例によるものとされる同法による改正前の特許法第１７条の２第４項第1号及び第２号に掲げる事項を目的とするものである。
　
　そこで、本件補正後における特許請求の範囲に記載されている事項により特定される発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かを、請求項１に係る発明（以下、「本件補正発明」という。）について検討する。
　
（２）補正の適否
　
（イ）引用例
（引用例１）
　原査定の拒絶理由で引用された米国特許第６００６２８５号明細書（以下、「引用例１」という。）には、図面とともに以下の事項が記載されている。なお、訳文は当審による。
　
（ａ）「Turning to FIG.1 A schematic circuit diagram of a computer system S of the present invention is shown. Within the portable computer S, a CPU 10and Level2(L2)cache12 are connected. The processor 10 is preferably a Pentium processor manufactured by Intel Corporation of Santa Clara, Calif. The processor 10 operates preferably with a standard IBM-PC compatible operating system, such as Windows 95, available from Microsoft Corporation of Redmond, Wash. The L2 cache 12 provides additional caching capability to the processor’s on-chip cache to improve performance.」(訳：「FIG1に注目すると、本願発明を表したコンピュータシステムSの回路構成図が見られる。ポータブルコンピュータSの内部には、CPU１０　レベル２キャッシュ１２が接続されている。プロセッサ１０は、好ましくは、カリフォルニア州サンタクララのインテル社製ペンティアムプロセッサである。プロセッサ１０は、好ましくは、標準的IBM-PC互換オペレーティングシステム、ワシントン州レッドモンドのマイクロソフト社製のウインドウズ９５を操作する。L2キャッシュ１２は、パフォーマンス向上のために、プロセッサのオンチップキャッシュの付加されたキャッシュ容量を提供する。」)
　
（ｂ）「A PCI/ISA bridge24 is used to connect the PCI bus P and an ISA bus I. Coupled to the PCI/ISA bridge24 is an IDE interface26 which connects to a CD-ROM drive28 having an IDE controller and to a hard disk drive30.」(訳：「PCI/ISAブリッジ２４は、PCIバスPとISAバスIの結合に利用される。結合されたPCI/ISAブリッジ２４は、IDEコントローラを備えたCD-ROMドライブ２８とハードディスクドライブ３０を接続するIDEインターフェース２６である。」)
　
（ｃ）「When the power switch 58 of a contemporary computer system is placed in an on state or the power switch of the computer system S of the present invention is placed in an on state while the audio CD mode switch 56 is in an off state such that the computer system S is in a PC mode, the operating system of the computer proceeds to access and execute the system BIOS in the BIOS ROM. Executing system BIOS code results in a lengthy booting process wherein a power-on-self-test (POST) is performed on the system hardware in the computer system. In order to operate a CD-ROM drive in a conventional computer, an operating system must be loaded and a CD-ROM drive application initiated such that the device driver of the CD-ROM drive application serves as the interface between the CD-ROM drive and the operating system. The initiation of a CD-ROM application requires significant user interaction such as popping up windows and clicking on various portions of a computer screen.」（第４欄第３６〜５３行）（訳：「コンピュータの電源スイッチ５８が“オン”状態に置かれる、即ち、本発明のコンピュータシステムSの電源スイッチが、オーディオCDモードスイッチが“オフ”状態の間に、“オン”状態に置かれると、コンピュータシステムSは、PCモードになり、コンピュータのオペレーティングシステムは、BIOS ROMのシステムBIOSにアクセスし、実行する。システムBIOSコードの実行は、長いブート行程において生じ、そのとき、パワーオンセルフテスト（POST）がコンピュータシステムのハードウエアシステムで実行される。通常、コンピュータのCD-ROMドライブを操作するために、オペレーティングシステムは、ロードされなければならないしCD-ROMドライブアプリケーションは、初期化され、それによって、CD-ROMドライブアプリケーションのデバイスドライバは、CD-ROMドライブとオペレーティングシステムの間のインターフェースとして機能する。CD-ROMアプリケーションの初期化は、複数のウィンドウの表示、コンピュータスクリーンのいろいろな部分のクリックのような重要なユーザ操作を要求する。」）
　
（ｄ）「Contrastingly, the computer system S of the present invention is capable of avoiding the lengthy boot process associated with contemporary BIOS ROM and the significant user interaction associated with a contemporary CD-ROM drive application by providing an audio CD mode. For the keyboard controller embodiment of the present invention, when the computer system S enters an audio CD mode, the processor-memory subsystem 102, the PCI/ISA bridge 24, the CD-ROM drive 28, the host/PCI bridge 14, the audio CD ROM 60, and the keyboard controller 46 are powered. ROM-based code including code for processing CD button selections is then loaded from an alternate BIOS ROM device, the audio CD ROM 60, instead of a conventional BIOS ROM device 62. An operating system is not loaded thereby significantly reducing the duration of the system initialization. Rather than using a ROM device for conventional BIOS code and a separate ROM device for the audio CD code of the present invention, the present invention may also be achieved by using a single ROM device. The single ROM device includes a memory address range for conventional BIOS code and a memory address range for audio CD code of the present invention. If the audio CD select signal is unasserted, a memory address range for conventional BIOS code is selected. If the audio CD select signal is asserted, a memory address range for audio CD code of the present invention is selected. Preferably, the conventional BIOS code and the audio CD code share common code such as POST code. Also, the firmware in the audio CD ROM 60 region is preferably shadowed in the system DRAM 16 to accelerate BIOS accesses.」（第４欄第５４行〜第５欄第１６行）（訳：「対照的に、本発明のコンピュータシステムSは、現バイオスROMに結合された長いブート行程と現CD-ROMドライブアプリケーションに結合された重要なユーザ操作を、オーディオCD-ROMモードによって回避することができる。本発明に内蔵されたキーボードコントローラのために、コンピュータシステムSがオーディオCDモードに入ったとき、プロセッサーメモリサブシステム１０２、PCI/ISAブリッジ２４、CD-ROMドライブ２８、ホストPCIブリッジ１４、オーディオCD ROM６０、キーボードコントローラ４６は、起動される。CDボタン選択操作のためのコードを含むROMベースコードは、替わりのBIOS ROMデバイスからロードされる。オーディオCD ROM６０は、現行BIOS ROMデバイス６２に替わるものである。オペレーティングシステムが、ロードされないことによって、初期化の時間が著しく短縮される。現行BIOSコードのためのROMデバイス及び本発明のオーディオCDコードのための分離されたROMデバイスを使用するよりもむしろ、本発明は、単一のROMデバイスを使用することで達成してもよい。この単一のROMデバイスは、現BIOSコードのためのメモリーアドレスレンジ、本発明のオーディオCDコードのためのメモリーアドレスレンジを含んでいる。もし、オーディオCD選択信号が実行されなければ、現行BIOSコードのためのメモリーアドレスレンジが選択される。もし、オーディオCD選択信号が実行されれば、本発明のオーディオCDモードのためのメモリーアドレスレンジが選択される。好ましくは、現行BIOSコードとオーディオCDコードがPOSTコードのような共通のコードとしてシェアされる。オーディオCD ROM６０の範囲のファームウエアは、好ましくは、システムDRAM１６にBIOSアクセスを高速化するために隠されている。」）
　
（ｅ）「Control next proceeds to step 314 where the drive 28 issues an interrupt request (IRQ) preferably over the IRQ15 channel. The issued interrupt request informs the processor10 that the driver28 is ready for execution of the CD packet command. The interrupt request delivered to the CPU10 is first transferred to a programmable interrupt controller15 which drives an interrupt line to the CPU10. From step314, control proceeds to step316 where the CPU10 executes the CD packet command. For example, if the CD button selected was the play button, CD-ROM drive28 plays the audio CD in the drive28.」(第７欄第３１−４１行)(訳：制御は、次のステップ３１４に進む。このステップでは、ドライブ２８は割り込み要求を出力する。好ましくは、ＩＲＱ１５チャンネルを介して。出力された割り込み要求はプロセッサ１０に伝えられ、ドライブ２８はＣＤパケットコマンドの実行の準備に入る。ＣＰＵ１０に届けられた割り込み要求コマンドは、プログラマブル割り込み装置１５に変換されて、ＣＰＵの割り込みライン駆動する。ステップ３１４から制御がステップ３１６に進むと、ＣＰＵ１０は、ＣＤパケットコマンドを実行する。例えば、もし、選択されたＣＤボタンが再生であれば、ＣＤ−ＲＯＭドライブ２８はドライブ２８の中のオーディオＣＤを再生する。)
　
　これらの記載から、引用例１には、
「CD-ROMを再生することのできるコンピュータシステムであって、
コンピュータシステムは、
CPUと、
DRAMと
オーディオCDを再生可能なCD-ROMドライブと
を具備し、
コンピュータシステムは、
標準的IBM-PC互換オペレーティングシステムと
オーディオCDモードのためのオーディオCDコードと
を具備し、
オーディオCDコードは、オーディオCD ROMに保存され、
CPUは、ＣＤパケットコマンドを実行して、オーディオCDを再生する
コンピュータシステム。」の発明（以下、「引用発明」という。）が記載されていると認められる。
　
（引用例２）
　原査定の拒絶理由で引用された特開平８−６３３３２号公報（以下、「引用例２」という。）には、図面とともに以下の事項が記載されている。
（１）「【０００９】
　ＤＳＰを搭載していない装置はほとんどの圧縮ディジタル信号を処理することができず、そのため、通常は未圧縮ディジタル信号のみで動作する。このような装置が圧縮ファイルについて動作しなければならない場合、装置がデータを格納するかまたはファイルからデータを取り出す前に、関連コンピュータ内の中央演算処理装置（ＣＰＵ）上で実行されるソフトウェアによってＣＯＤＥＣ機能を実行しなければならない。このような中間的なＣＯＤＥＣ機能は、通常、「ソフトウェアＣＯＤＥＣ」機能と呼ばれている。」
（２）「【００２８】
　ソフトウェアＣＯＤＥＣルーチンによってデータの圧縮または圧縮解除を行う必要があるかどうかを判断するためにディジタル信号マネージャを使用すると、資源使用効率が高まる。データを処理するために可能であれば、必ずＤＳＰが使用され、その結果、中央演算処理装置（ＣＰＵ）が解放されて他の機能を実行できるようになる。装置がデータを直接処理することができず、しかもＤＳＰを搭載していない装置が未圧縮データ・ファイルの操作に限定されていない場合のみ、ＣＰＵがソフトウェア圧縮／圧縮解除を実行する。」
（３）「【００４２】
　ファイルが圧縮されている場合には、ディジタル信号マネージャ２１６はステップ４１４で、装置２００がＤＳＰ２０２およびディジタル信号を処理するのに十分なメモリを備えているかどうかを判定する。装置２００がＤＳＰを備えていないか、十分なメモリを備えていない場合は、ステップ４１６でディジタル信号マネージャ２１６がファイル入出力ハンドラ２１２と装置２００との間のファイル・ハンドル２２４を確立する。ディジタル信号マネージャ２１６は、装置２００とファイル２１０との間のデータ転送にＣＯＤＥＣルーチン２２２を使用するようファイル入出力ハンドラ２１２に指示する。このＣＯＤＥＣルーチン２２２は、装置２００がファイル２１０から読み取るときにデータを圧縮解除し、装置２００がファイル２１０に書き込むときにデータを圧縮する。ファイル２１０は実際に圧縮されているが、その後、装置２００は未圧縮データを処理するようになる。したがって、ステップ４１８でディジタル信号マネージャ２１６が装置の調整可能な特性を設定し、それにより、未圧縮ディジタル信号を処理するよう装置２００に指示する。ディジタル信号マネージャ２１６はステップ４１２で終了する。」
　
（引用例３）
　原査定の拒絶理由で引用された特開２０００−２５１４８６号公報（以下、「引用例３」という。）には、図面とともに以下の事項が記載されている。
（１）「【００３８】
　これらのブロックにより、次のようにオーディオ信号の入出力が行われる。
　デジタルオーディオデータとして、外部機器から光ケーブルを介してデジタル入力端子２７に供給された信号は、光入力モジュール５１によって光電変換されて取り込まれ、デジタル入力部５２で送信フォーマットに応じた受信処理が行われる。そして受信抽出されたデジタルオーディオデータは、ＤＳＰ４９で圧縮処理され、ＳＡＭ５０で暗号化処理されてＣＰＵ４１に供給され、例えば板状メモリ１への記録データとされる。
　　　【００３９】
　マイク入力端子２５にマイクロホンが接続された場合は、その入力音声信号はマイクアンプ５３で増幅された後、ＡＤＤＡ変換部５４でＡ／Ｄ変換され、デジタルオーディオデータとしてＤＳＰ４９に供給される。そしてＤＳＰ４９での圧縮処理、ＳＡＭ５０での暗号化処理を介してＣＰＵ４１に供給され、例えば板状メモリ１への記録データとされる。
　またライン入力端子２６に接続された外部機器からの入力音声信号は、ＡＤＤＡ変換部５４でＡ／Ｄ変換され、デジタルオーディオデータとしてＤＳＰ４９に供給される。そしてＤＳＰ４９での圧縮処理、ＳＡＭ５０での暗号化処理を介してＣＰＵ４１に供給され、例えば板状メモリ１への記録データとされる。
　　　【００４０】
　一方、例えば板状メモリ１から読み出されたオーディオデータを出力する際などは、ＣＰＵ４１はそのオーディオデータについてＳＡＭ５０で展開処理、ＤＳＰ４９で伸長処理を施させる。これらの処理を終えたデジタルオーディオデータは、ＡＤＤＡ変換部５４でアナログオーディオ信号に変換されてパワーアンプ５６に供給される。
　パワーアンプ５６では、ヘッドホン用の増幅処理及びライン出力用の増幅処理を行い、それぞれヘッドホン端子２３、ライン出力端子２４に供給する。」
（２）「【００５０】
　次に図７は、図６の状態からプレイリストテーブル及び２つのプレイリストＰＬ１、ＰＬ２が加えられた状態を示している。
　プレイリストテーブルでは、プレイリストＰＬ１、プレイリストＰＬ２を、それぞれプレイリストネーム「ＰＬ１」「ＰＬ２」（例えばユーザーが登録したプレイリスト名称）とともに、ポインタＰＰＬ１、ＰＰＬ２によって示している。
　つまりプレイリストテーブルによって管理された状態でプレイリストＰＬ１、
ＰＬ２が記録される。　そしてプレイリストＰＬ１、ＰＬ２では、エントリナンバ順にトラックを指定しており、例えばプレイリストＰＬ１では、トラックＴＲＫ３、ＴＲＫ４、ＴＲＫ１という曲順が登録されていることになる。
　　　【００５１】
　ドライブ装置２０では、ユーザーがあるプレイリストを選択して再生操作を行った場合は、その選択されたプレイリストに登録されている曲順で再生動作を実行することになる。例えばプレイリストＰＬ１が選択された場合は、ドライブ装置２０のＣＰＵ４１は、トラックＴＲＫ３、ＴＲＫ４、ＴＲＫ１という曲順で再生動作を制御する。
　つまりこの場合、まずプレイリストＰＬ１のエントリナンバ１がトラックＴＲＫ３であることを確認したら、ＣＰＵ４１はＴＯＣからトラックＴＲＫ３のポインタＰＴＫ３を確認し、トラックＴＲＫ３にアクセスして再生を行う。続いて同様にエントリナンバ２のトラックＴＲＫ４について再生を行い、さらにエントリナンバ３のトラックＴＲＫ１について再生を行なうことになる。
　　　【００５２】
　なお、プレイリストによる曲順での再生の場合、エントリナンバ順に登録されたトラックについて、ＴＯＣを参照してアクセスを行うことになるが、例えばプレイリスト内にトラックのポインタを登録することで、ＴＯＣの参照を行わなくても再生が可能となるようにすること（つまりプレイリストにＴＯＣ機能をも持たせること）も考えられる。」
（３）「【００６２】
６．再生処理
　
　次に、ドライブ装置２０が板状メモリ１に収録されている楽曲（トラック）を再生させる場合のＣＰＵ４１の処理を図９で説明する。
　　　【００６３】
　ユーザーが再生キー３１を押すことで、ＣＰＵ４１は再生動作処理を開始するわけであるが、通常はＣＰＵ４１はＴＯＣで管理されたトラックナンバ順に各トラックを再生させていくことになる。
　ところがユーザーが、予めプレイリストを選択してから再生操作を行うことで、ＣＰＵ４１は、その選択されたプレイリストに登録された曲順で、各トラックを再生させる処理を行うものとなる。
　　　【００６４】
　動作停止中は、ＣＰＵ４１は再生に関する操作として、ステップＦ２０１，Ｆ２０２で再生キー３１の操作及びプレイリスト選択キー３７の操作を監視している。
　ユーザーはプレイリストを選択したい場合は、プレイリスト選択キー３７を押す。するとＣＰＵ４１の処理はステップＦ２０２からＦ２０３に進み、プレイリスト選択モードに移行する。
　なお図９には示していないが、装填されている板状メモリ１が図６のようにプレイリストが存在しないものである場合は、プレイリスト選択キー３７の操作は無効とされる。
　　　【００６５】
　ステップＦ２０３では、まずメモリインターフェース４２を介して板状メモリ１に対してアクセスを行い、プレイリストテーブル及びプレイリストを読み出して、その情報をＲＡＭ４１ｂに展開する。
　続いてステップＦ２０４では、プレイリスト情報及びユーザーにプレイリスト選択を要求する画面表示を表示部２１に実行させる。
　例えばプレイリスト情報として、表示部２１に、記録されているプレイリストの名称を一覧表示させるとともに、ユーザーが或るプレイリストを選択するように要求する画面表示を行う。
　そしてその状態でステップＦ２０５，F２０６でユーザーの操作を待機する。
　　　【００６６】
　ユーザーは、例えばＦＦキー３４、ＲＥＷキー３３を操作することで任意のプレイリストを選択し、再生キー３１で選択決定操作を行う。或いは停止キー３２をキャンセル操作キーとして用いる。
　ユーザーがキャンセル操作を行った場合は、ステップＦ２０５からプレイリスト選択処理を中止しステップＦ２０１，Ｆ２０２の操作監視処理に戻る。
　　　【００６７】
　ユーザーがＦＦキー３４、ＲＥＷキー３３で或るプレイリストを選んだうえで再生キー３１つまり選択決定操作を行った場合は、ＣＰＵ４１はステップＦ２０６からＦ２０７に進んで、選択決定されたプレイリストを、再生時に使用するプレイリストとして設定する。例えばＲＡＭ４１ｂ又はフラッシュメモリ４８に選択されたプレイリストの名称（ファイル名）を記憶する。そしてステップＦ２０１，Ｆ２０２の操作監視処理に戻る。
　以上の処理で、記録されているプレイリストのうちで或る１つのプレイリストが選択されたことになる。
　　　【００６８】
　ステップＦ２０１，Ｆ２０２の操作監視処理において、ユーザーが再生キー３１を操作したことを検出したら、処理はステップＦ２０８に進むことになるが、ここでＣＰＵ４１は、上述のプレイリスト選択処理が既に行われて或るプレイリストが選択されているか否か（ステップＦ２０７の処理が実行済であるか否か）を判別する。
　選択されていない場合（又はプレイリストが記録されていない場合）は、ステップＦ２０９に進んで、ＴＯＣを読み込み、曲順をそのＴＯＣ上のトラックナンバの順序として設定する。つまりトラックナンバがそのまま曲順としてのエントリナンバとされる。
　　　【００６９】
　一方、ステップＦ２０７の処理により或るプレイリストが選択されている場合は、ステップＦ２１０に進んで、プレイリストテーブルを参照してそのプレイリストを読み込み、曲順をそのプレイリスト上でエントリされたトラックナンバの順序として設定する。また再生動作に必要なためＴＯＣも読み込む。
　　　【００７０】
　ステップＦ２０９又はＦ２１０の処理を終えたら、ステップＦ２１１で変数ｎを１にセットし、ステップＦ２１２から実際のトラックの再生を開始する。
　ここでは、エントリナンバ（ｎ）のトラックを読み出して、その再生オーディオデータを出力することになる。出力は、上述したように各ブロックの処理を経て、ヘッドホン端子２３、ラインアウト端子２４、ＵＳＢコネクタ２８などから行われる。
　またトラック再生時にはＣＰＵ４１は、表示部２１において、トラックナンバ、曲名、曲の演奏進行時間などの時間情報、付随情報などを表示させていくことになる。
　　　【００７１】
　トラックの再生中は、ステップＦ２１３，Ｆ２１４で、ユーザーの停止操作、
トラックの再生終了を監視している。
　そして現在再生中のトラックについて再生が終了したら、ステップＦ２１４からステップＦ２１５に進んで現在のエントリナンバ（ｎ）が最後のナンバであるか否か、つまり必要な全トラックについて再生を終了したか否かを判断し、終了していなければ、ステップＦ２１６で変数ｎをインクリメントしてステップＦ２１２に戻る。つまり、次のエントリナンバのトラックを再生させることになる。
　　　【００７２】
　このような再生時に、ユーザーが停止キー３２を操作した場合、もしくは必要な全トラックの再生を完了した時点で、ステップＦ２１３又はＦ２１５からステップＦ２１７に進み、オーディオデータの再生処理（板状メモリ１からの読込、ＳＡＭ５０での展開処理、ＤＳＰ４９での伸長処理、ＡＤＤＡ変換部でのＤ／Ａ変換処理等）を終了させるとともに、再生に伴った表示部２１での表示動作を終了させ、一連の再生動作処理を終える。
　　　【００７３】
　即ちこのような処理により、或るプレイリストが選択されている場合は、そのプレイリストに登録された曲順で再生が進行する。例えば図７のプレイリストＰＬ１が選択されている場合は、エントリナンバ１がトラックＴＲＫ３、エントリナンバ２がトラックＴＲＫ４、エントリナンバ３がトラックＴＲＫ１となっているため、トラックＴＲＫ３、ＴＲＫ４、ＴＲＫ１がそれぞれ順に再生されていくことになる。そしてトラックＴＲＫ１の再生が終了した時点で、そのエントリナンバ３は最後のエントリナンバであるため、ステップＦ２１５からＦ２１７に進み、再生が終了されることになる。
　　　【００７４】
　一方、プレイリストが選択されていない場合（もしくはプレイリストが存在しない場合）は、エントリナンバはトラックナンバに一致するために、例えば図６、図７のようにトラックＴＲＫ１〜ＴＲＫ５が収録されているとすると、トラックＴＲＫ１、ＴＲＫ２、ＴＲＫ３、ＴＲＫ４、ＴＲＫ５がそれぞれ順に再生され、その再生の完了によって再生動作が終了される。
　　　【００７５】
　以上のようなプレイリストの作成処理及び再生処理により、ユーザーは、装填された板状メモリ１に記録されているトラックの全部又は一部を対象として再生順序を任意に指定して生成したプレイリストを記録媒体に記録でき、また再生時には、装填された板状メモリ１に記録されている１又は複数のプレイリストの中で１つのプレイリストを任意に指定することで、指定されたプレイリストに基づいた順序で１又は複数のトラックを順次再生させることができる。
　従って、ユーザーは好みの再生順序（曲順）をプレイリストとして板状メモリ１に記録させておけば、再生時には、その板状メモリ１のＴＯＣに基づく通常の再生順序の他に、プレイリストを選択することのみで、選択されたプレイリストで登録しておいた曲順で再生を実行させることができる。つまり、板状メモリ１の個体毎に多様な再生曲順を任意に設定できるとともに、再生時には、単にプレイリストを選択するという操作のみで、簡易に多様な再生順序でのトラックの再生を楽しむことができる。
　また、聴きたい曲のみを選んで曲順を登録できるため、収録されたトラックの中から、ユーザーの好みや気分に応じた多様な再生を容易に実行させることも可能である。
　　　【００７６】
　また、このようなプレイリストの記録及びプレイリストに基づく再生が可能となることは、板状メモリ１に記録されている多数のトラックをユーザーが非常に扱いやすいように管理できることにもなる。
　例えばトラック数が非常に多い場合などは、ＴＯＣによるトラックナンバ順序だけでは聴きたい曲を探していくことが面倒なものとなるが、あらかじめ複数のプレイリストにおいてトラックを分類して登録しておくことで、所望の曲を探し出しやすくすることもできる。一例として、例えば多様なジャンルの多数の音楽を１つの板状メモリ１に記録して置いた場合に、或るプレイリストＰＬ１では例えばクラシックの曲のみを所望の曲順で登録し、他のプレイリストＰＬ２ではジャズの曲を所望の曲順で登録しておき、さらに他のプレイリストＰＬ３ではロックの曲を所望の曲順で登録しておくというような状態とする。
　　　【００７７】
　すると、ジャズに分類される或る曲を聴きたい場合には、まず上記図９の再生動においてプレイリストＰＬ２を選択して再生させる。すると、ジャズの曲のみが順番に再生されることになる。また、その中で特定の曲のみを聴きたい場合は、そのプレイリストＰＬ２に基づく再生の途中で、ＦＦキー操作などで曲を送っていくことで、簡易かつ迅速に目的の曲の再生を実行させることができることになる。
　このような使用形態は、例えばジャンル別でなく、アルバム別（ＣＤ等でいう音楽アルバム）、アーティスト別などで分類しても好適である。例えば複数の音楽アルバムからダビングした多数のトラックを１つの板状メモリ１に記録した場合、アルバム別にプレイリストを登録しておけば、プレイリストを選択して再生することで、その目的のアルバムの再生のみを楽しむことができる。
　これらのように、プレイリストは、単に曲順の設定だけでなく、板状メモリ１に記録したトラックの整理にも有効に機能することになる。」
　
（ロ）対比、判断
　そこで、本件補正発明と引用発明を対比する。
　
　引用発明の「コンピュータシステム」は、本件補正発明の「コンピュータシステム」に相当する。
　引用発明の「CPU」は、本件引用発明の「システムCPU」に相当する。
　引用発明の「DRAM」は、本件補正発明の「メモリ」に相当する。
　引用発明の「オーディオCDを再生可能なCD-ROMドライブ」は、その機能からみて、本件補正発明の「オーディオデータを具備する少なくとも１つのドライブ」に相当する。
　引用発明の「標準的IBM-PC互換オペレーティングシステム」は、本件補正発明の「第１のオペレーティングシステム」に相当する。
　引用発明の「オーディオCDモードのためのオーディオCDコード」は、「標準的IBM-PC互換オペレーティングシステム」の代わりに、CDモードのためのオペレーティングシステム的な機能を果たすことから、本件補正発明の「第２のオペレーティングシステム」に相当する。
　引用発明の「オーディオCD ROM」は、本件補正発明の第２のオペレーティングシステムを保存する「BIOS」に相当する。
　引用発明の「ＣＰＵは、ＣＤパケットコマンドを実行して、オーディオCDを再生する」は、本願発明の「システムＣＰＵに伸張されたオーディオデータを供給させる」に相当する。
　
　したがって、両発明の一致点、相違点は以下の通りである。
　
〈一致点〉
「オーディオ（データ）を再生することに適合したコンピュータシステムであって、
　前記コンピュータシステムは、
　システムＣＰＵと、
　メモリと、
　オーディオデータを具備する少なくとも１つのドライブと
を具備し、
　前記コンピュータシステムは、
　少なくとも前記システムＣＰＵと前記メモリとを制御することに適合した第１オペレーティングシステムと、
　第２オペレーティングシステムと
を具備し、
　前記第２オペレーティングシステムは、ＢＩＯＳ内に保存させ、
システムＣＰＵに前記ファイルのオーディオデータを供給させる
コンピュータシステム。」
　
〈相違点〉
（α）本件補正発明は、「オーディオファイルを再生する」と特定するとともに、「オーディオデータ」が「圧縮」され「ファイル内に常駐」していて、これをＣＰＵを用いて「伸張」しているのに対して、引用発明の「オーディオデータ」は、「圧縮」され、「ファイル内に常駐」している点について記載されていない点。
　
（β）本件補正発明は、「前記オーディオファイルのうちの１又は２以上を具備するプレイリストを選択しかつ保存するプレイリストソフトウェアプログラムを具備し、前記プレイリストは、前記オーディオファイルを収容するドライブのボリュームシリアル番号を含む前記オーディオファイルの場所に関する情報を収容し」、「前記プレイリストを検索しかつ前記ドライブに前記ボリュームシリアル番号に従って前記プレイリストの少なくとも１つの前記オーディオファイルを読み出」しているのに対して、引用発明のコンピュータシステムは、前記のようにプレイリストに関する特定がない点。
　
（γ）本件補正発明は、「前記伸張されたオーディオデータを前記メモリ内に保存」しているのに対して、引用発明は、メモリに保存する構成を有していない点。
　
　これらの相違点について検討する。
　
（α）の点について
　オーディオデータを収容する場合に、圧縮してファイル内に常駐することとし、再生する場合に、ＣＰＵによって伸張することは、引用例２の記載事項（１）〜（３）、引用例３の記載事項（１）にあるようによく知られた構成である。引用発明のＣＤコードの機能として、これらの記載事項を適用し、ＣＰＵによって圧縮されてファイル内に常駐したデータを伸張して扱うこと、そして、これにより結果として「オーディオファイルを再生する」ものとすること、即ち、相違点（α）のようにすることは、当業者が適宜なしうることである。
　
　（β）の点について
　「前記オーディオファイルのうちの１又は２以上を具備するプレイリストを選択しかつ保存するプレイリストソフトウェアプログラムを具備」することは、引用例３の記載事項（２）、（３）にあるようによく知られた事項である。オーディオファイルの場所に関する情報として、オーディオファイルを収容するドライブのボリュームシリアル番号を用いることは、（Ａ）特開平８−１１１０８２号公報（特に、段落番号００３３−３９、００６７−００７８、図１４）、（Ｂ）特開平８−３６８２５号公報（特に、段落番号０００３、００１０、００３６、００３９、００４３−４９、図３、図５）に見られるように周知事項であり、特に、（Ａ）には、プレイリストによる管理において「ディスクトレイの収納位置（ドライブのボリュームシリアル番号に相当）」を収容し、再生することが記載されていることから、これらの事項を引用発明のＣＤコードの機能として適用し、相違点(β）のようにすることは、当業者が容易に想到しうることである。
　
（γ）の点について
　　本件補正発明のように「前記伸張されたオーディオデータを前記メモリ内に保存」することは、（Ｃ）特開平１０−１３６３０８号公報（特に段落番号００３２、図３等）、（Ｄ）特開平１０−１６４５０８号公報（特に段落番号００３０、図４等）、（Ｅ）特開平１０−２００８６２号公報（特に段落番号００３２、図３等）、（Ｆ）再表９９／６５０３３号公報（特に第３７頁第２２−２３行）の記載にみられるように周知事項であり、引用発明においても、上記周知事項を適用して、相違点（γ）の「前記伸張されたオーディオデータを前記メモリ内に保存」することは、当業者が適宜なし得るものである。
　
　そして、上記相違点を総合的に判断しても、本件補正発明が奏する効果は引用例及び周知事項から当業者が十分予測できたものであって格別なものとはいえない。
　
（２−２）むすび
　
　以上のとおり、本件補正発明は、各引用例に記載された発明及び周知事項に基づいて当業者が容易に発明をすることができたものであり、特許法第２９条第２項の規定により、特許出願の際独立して特許を受けることができないものである。
　したがって、本件補正は、平成１８年法律第５５号改正附則第３条第１項によりなお従前の例によるとされる同法による改正前の特許法第１７条の２第５項で準用する同法第１２６条第５項の規定に違反するものであるから、同法１５９条第１項で読み替えて準用する同法第５３条第１項の規定により却下されるべきものである。
　
３．本願発明について
　
　平成１９年２月１４日付けの手続補正は、上記のとおり却下されたので、本願特許請求の範囲の請求項１ないし５８に係る発明は、平成１８年２月１６日付け手続補正書の特許請求の範囲の請求項１ないし５８記載されたとおりのものと認められるところ、そのうち請求項５８に係る発明（以下、「本願発明」という。）は、前記２．（１）の（１−１）補正前の請求項５８に記載したとおりのものである。
　
（１）引用例
　原査定の拒絶の理由に引用された引用例、およびその記載事項は、前記２．（２−２）に記載したとおりのものである。
　
（２）対比、判断
　本願発明は、本件補正発明から「前記プレイリストは、前記オーディオファイルを収容するドライブのボリュームシリアル番号を含む前記オーディオファイルの場所に関する情報を収容」すること、及び、オーディオファイルの読み出しを「ボリュームシリアル番号に従って」行っていることとした限定事項を省いたものに相当する。
　そうすると、本願発明の構成要件を全て含み、更に他の要件を付加したものに相当する本件補正発明が前記「２．（２）」に記載したとおり、各引用例に記載された発明及び周知事項に基づいて、当業者が容易に発明をすることができたものであるから、本願発明も、同様の理由により、各引用例に記載された発明及び周知事項に基づいて当業者が容易に発明をすることができたものである。
　
（３）むすび
　
　以上のとおり、本願発明は各引用例に記載された発明及び周知事項に基づいて当業者が容易に発明することができたものであるから、特許法第２９条第２項の規定により特許を受けることができない。
　したがって、本願は、その他の請求項について論及するまでもなく、拒絶すべきものである。
　
　よって、結論のとおり審決する。